(57)【要約】【課題】着せ替え対象の着物を比較的シンプルで扱いやすいものとし、以て着せ替えが容易となり、しかも、着付け時に実際に人が着たときの様相を呈し得る着せ替え人形用着物を提供することを課題とする。【解決手段】前身頃４、後ろ身頃５、袖６及び襟７を備えた着物本体１と、帯２と、帯結び３とから成り、帯２は、その一側端に係止手段１５が取り付けられると共に、その表側中間部に、係止手段１５に対応する係止手段１６が取り付けられて成り、帯結び３は、帯２の結び目を表わす形状に形作られ、その裏面側に、左右に延びるように帯上げ１７と帯締１８とが固定されて形成されたものであることを特徴とする。【選択図】図６
2012217613.tif 000002
【特許請求の範囲】
【請求項１】
前身頃、後ろ身頃、袖及び襟を備えた着物本体と、帯と、帯結びとから成り、前記帯は、その一側端に係止手段が取り付けられると共に、その表側中間部に前記一側端の係止手段に対応する係止手段が取り付けられて成り、前記帯結びは、前記帯の結び目を表わす形状に形作られ、その裏面側に、左右に延びるように帯上げと帯締とが固定されて形成されたものであることを特徴とする、着せ替え人形用着物。
【請求項２】
前身頃、後ろ身頃、袖及び襟を備えた着物本体と、帯と、帯結びとから成り、前記帯の一側端内側に係止手段が取り付けられると共に、前記帯表面の胴巻回時において前記係止手段が当接する部分に前記一側端内側の係止手段に対応する係止手段が取り付けられ、前記帯は、その他側端が左前身頃の襟部分に縫着されることにより前記左前身頃に固定され、前記帯結びは、前記帯の結び目を表わす形状に形作られて前記帯の一側端外側に固定され、更に前記帯に、その表面を取り巻くように、帯締が取り付けられて成ることを特徴とする着せ替え人形用着物。
【請求項３】
前記着物本体の前面側に、左右一対の腰紐が縫い付けられ、内側となる右身頃側の腰紐が身八つ口から引き出せるようにされた、請求項１又は２に記載の着せ替え人形用着物。
【請求項４】
前記着物本体には、半襟、裾回し、肩上げ、腰上げ、衽のうちの１つ又は複数の要素が組み込まれる、請求項１乃至３のいずれかに記載の着せ替え人形用着物。
【請求項５】
前記右前身頃の襟の表側下端部に第２の係止手段が取り付けられ、着用時にこの係止手段部分が当接する左前身頃の内面に、当該係止手段に対応する係止手段が設けられる、請求項１乃至４のいずれかに記載の着せ替え人形用着物。
【請求項６】
前記帯に取り付けられる係止手段は、カギフックとループ、面ファスナー、ホックのいずれかである、請求項１乃至５のいずれかに記載の着せ替え人形用着物。
【発明の詳細な説明】
【技術分野】
【０００１】
本発明は、着せ替え人形用着物に関するものであり、より詳細には、着せ替えを可能にした人形用の着物であって、着せ替えが容易で、人形に着付けた時に、実際に人が着たときの様相を呈し得る人形用着物に関するものである。
【背景技術】
【０００２】
被服を着せ替え可能にした着せ替え人形は、古くより種々存し、主に女児あるいは成人女性の趣味の対象となっている。従来の着せ替え人形の着せ替え対象となる被服は、シンプルな構成で着せ替えが容易な洋服であり、比較的複雑で着せ替え（着付け）に手間のかかる着物は、着せ替え人形用被服として流通していない。
【０００３】
なお、着せ替え対象を着物とする着せ替え人形に関する特許文献として特公平６-３８８６８号公報（特許文献１）があるが、そこに記載されているのは、前面側を和服とし、後面側を洋服とした変則的な被服であり、それは、着用時において実際の着物着用態様を呈するものではない。
【先行技術文献】
【特許文献】
【０００４】
【特許文献１】特公平６-３８８６８号公報
【特許文献２】特開平９-２７６５５７号公報
【特許文献３】特開平８-２９９６０２号公報
【発明の概要】
【発明が解決しようとする課題】
【０００５】
上述したように、従来の着せ替え人形における着せ替え対象となる被服は、シンプルな構成で着せ替えが容易な洋服であり、比較的複雑で着せ替え（着付け）に手間のかかる着物は、着せ替え人形用被服として流通していなかった。
【０００６】
本発明は、かかる事情に鑑みてなされたもので、着せ替え対象の着物を比較的シンプルで扱いやすいものとし、以て着せ替えが容易となり、しかも、着付け時に実際に人が着たときの様相を呈し得る着せ替え人形用着物を提供することを課題とする。
【課題を解決するための手段】
【０００７】
上記課題を解決するための請求項１に係る発明は、前身頃、後ろ身頃、袖及び襟を備えた着物本体と、帯と、帯結びとから成り、前記帯は、その一側端に係止手段が取り付けられると共に、その表側中間部に前記一側端の係止手段に対応する係止手段が取り付けられて成り、前記帯結びは、前記帯の結び目を表わす形状に形作られ、その裏面側に、左右に延びるように帯上げと帯締とが固定されて形成されたものであることを特徴とする着せ替え人形用着物である。
【０００８】
上記課題を解決するための請求項２に係る発明は、前身頃、後ろ身頃、袖及び襟を備えた着物本体と、帯と、帯結びとから成り、前記帯の一側端内側に係止手段が取り付けられると共に、前記帯表面の胴巻回時において前記係止手段が当接する部分に前記一側端内側の係止手段に対応する係止手段が取り付けられ、前記帯は、その他側端が左前身頃の襟部分に縫着されることにより前記左前身頃に固定され、前記帯結びは、前記帯の結び目を表わす形状に形作られて前記帯の一側端外側に固定され、更に前記帯に、その表面を取り巻くように、帯締が取り付けられて成ることを特徴とする着せ替え人形用着物である。
【０００９】
一実施形態においては、前記着物本体の前面側に、左右一対の腰紐が縫い付けられ、内側となる右身頃側の腰紐が身八つ口から引き出せるようにされ、また、前記着物本体に、半襟、裾回し、肩上げ、腰上げ、衽のうちの１つ又は複数の要素が組み込まれる。
【００１０】
一実施形態においては、前記右前身頃の襟の表側下端部に第２の係止手段が取り付けられ、着用時にこの係止手段部分が当接する左前身頃の内面に、当該係止手段に対応する係止手段が設けられる。また、前記帯に取り付けられる係止手段は、カギフックとループ、面ファスナー、ホックのいずれかとされる。
【発明の効果】
【００１１】
本発明に係る着せ替え人形用着物は上記のとおりであって、着物本体を着用させた後、腰紐がある場合は腰紐によって着物本体の着付け状態を安定させ、更に、その上に帯を巻き付けて係止手段を介して締めることで、その安定状態が確実に維持されるため、その後の操作が簡便なものとなり、また、その後帯上げと帯締とを一体化した帯結びを配置し、その帯上げと帯締とを結ぶだけで着付け完了となるので、女児であっても簡単に着せ替えを行うことができ、以て、従来にない変化に富んだ着せ替えを楽しむことができる効果がある。
【００１２】
特に請求項２に記載の発明にあっては、着物本体と帯と帯結びとが一体に構成されているので、一層取り扱いやすくなり、着付けも容易となるという顕著な効果がある。
【図面の簡単な説明】
【００１３】
【図１】本発明の一実施形態における着物の着付け完了状態を示す正面図である。
【図２】本発明の一実施形態における着物の着付け工程（第１工程）を示す正面図である。
【図３】本発明の一実施形態における着物の着付け工程（第２工程）を示す正面図である。
【図４】本発明の一実施形態における着物の着付け工程（第３工程）を示す正面図である。
【図５】本発明の一実施形態における着物の着付け工程（第４工程）を示す正面図である。
【図６】本発明の一実施形態における着物の着付け工程（第５工程）を示す正面図である。
【図７】本発明の一実施形態における着物の帯の構成を示す正面図及び斜視図である。
【図８】本発明の他の実施形態における着物の着付け完了状態を示す正面図である。
【図９】本発明の他の実施形態における着物の着付け完了状態を示す背面図である。
【図１０】本発明の他の実施形態における着物の構成及び着付け方法を示す正面図である。
【図１１】本発明の他の実施形態における着物の構成及び着付け方法を示す正面図である。
【発明を実施するための形態】
【００１４】
本発明を実施するための形態について、添付図面に依拠して説明する。先ず、図１乃至図７に示される第１の実施形態について説明する。図１は、本発明の第１の実施形態に係る着せ替え人形用着物の着付け状態を示すもので、当該着物は、着物本体１と帯２と帯結び３とから構成される。着物本体１は、基本的には全体的に実際の着物を縮小して着物の体をなすように、前身頃４及び後ろ身頃５に袖６、襟７を設け、また必要に応じ、半襟８、裾回し９、肩上げ１０、腰上げ１１、衽（おくみ）１２等を設ける。着物本体１の生地は、実際の着物に用いられている生地、あるいは、それに近い生地を用いることが好ましい。
【００１５】
着物本体１の前面側に、左右一対の腰紐１３、１３ａを縫い付ける（図２参照）。各腰紐１３、１３ａは、それぞれ一端部を裏襟に縫い付け、左前の着付けになるように、内側となる右身頃側の腰紐１３が、身八つ口１４から出るようにする。そして、身八つ口１４から出した腰紐１３と他方の腰紐１３ａを、それぞれ背側に回して前側に引き出して結ぶ（図３参照）。
【００１６】
帯２は、胴回りの約二周半程の長さとし、その一側端に係止手段を取り付け、その表側中間部に、一側端の係止手段に対応する係止手段を取り付ける。帯２は、結び目を作ることなく、この係止手段を介して胴部に巻き付け固定されることになる。図示した例では、一側端に取り付けられる係止手段はカギフック１５とされ、これに対応する係止手段は、カギフック１５が引っ掛かるループ１６とされている（図５、７参照）。このカギフック１５及びループ１６に代えて、面ファスナー、ホックその他の係止手段を用いることもできる。
【００１７】
帯結び３は、帯２の結び目を表わす形状に形作り、その裏面側（内側）に、左右に延びるように帯上げ１７と帯締１８とを固定して形成する（図６参照）。このように帯結び３に帯上げ１７と帯締１８とを一体化しておくことにより、着せ替え動作が簡便になると共に、各部の紛失が防止される。なお、帯上げ１７は、実際のものに合わせ、絞り生地を用いて形成することが好ましい。
【００１８】
上記構成の着物を人形に着せるに当たっては、先ず、前身頃４を開いて人形を配置し、各腕をそれぞれ袖６に通し、左前にして整える。そして、着物の左側に延びる腰紐１３を身八つ口１１から外に引き出し（図２参照）、左右の腰紐１３、１３ａを引いてそれぞれ背に回し、前方に引き出して結ぶ（図３参照）。
【００１９】
次いで、腰紐１３、１３ａをくるむように帯２を回して締め付け、カギフック１５をループ１６に掛けることにより、その締め付け状態を保持する（図４、５参照）。そして、背面側の帯２の上に、帯上げ１７を上側にして帯結び３を配し（図６参照）、先ず、左右の帯上げ１７を前に回して軽く結び、その端部を帯２の上側の隙間に押し込み（図１参照）、次いで、左右の帯締１８を前に回して結ぶ（図１参照）。かくして、着物の着付けが完了となる。別の着物に着替えさせるときは、上記と逆にして着物を脱がせ、再び上記操作により着付ける。
【００２０】
このように、本発明に係る着物の場合は、着物本体１を着せた後、腰紐１３、１３ａによって着物本体１の着付け状態を安定させ、その上に帯２を巻き付けて締め上げ、係止手段（カギフック１５、ループ１６）を介してその締付状態を維持させることで、安定した着付け状態を保つことができる。そのため、その後の着付け操作は簡便なものとなる。このように安定した着付け状態を保った状態で、帯上げ１７と帯締１８とを一体化した帯結び３を配置し、その帯上げ１７と帯締１８とを結ぶだけで着付け完了となるので、女児であっても簡単に着せ替えを行うことが可能となり、以て、従来にない着せ替えを楽しむことができるものとなる。
【００２１】
次いで、図８乃至図１１に示される第２の実施形態について説明する。図８、図９は、第２の実施形態における着物の着付け状態の正面及び背面を示すもので、この実施形態における着物も、上記第１の実施形態の場合と同様に、着物本体１と帯２と帯結び３とで構成される。そして、着物本体１は、やはり基本的には、全体的に実際の着物を縮小して着物の体をなすように、前身頃４及び後ろ身頃５に袖６、襟７を設け、また必要に応じ、半襟８、裾回し９、肩上げ１０、腰上げ１１、衽（おくみ）１２等を設けて構成される。なお、図中の符号２１は、商品販売時に保形の目的で差し込まれる保形台紙を示している。
【００２２】
この第２の実施形態は上記第１の実施形態をよりシンプルにしたもので、図示した例では、第１の実施形態における腰紐１３、１３ａを設けていない。帯２の一側端内側には係止手段１５ａが取り付けられ、また、帯２の表面の胴巻回時において係止手段１５ａが当接する部分に、係止手段１５ａに対応する係止手段１６ａが取り付けられる（図１０、１１に示される係止手段１５ａ、１６ａは面ファスナーである。）。また、好ましい実施形態においては、右前身頃４の襟７の表側下端部に第２の係止手段１９を取り付け、着用時にこの係止手段１９部分が当接する左前身頃４の内面に、係止手段１９に対応する係止手段２０を設けることとする（図１１に示される係止手段１９、２０はホックである。）。
【００２３】
帯２は、その他側端が左前身頃４の襟７の裏側部分に縫着されることにより左前身頃４に固定され（図１１参照）、帯結び３は、帯の結び目を表わす形状に形作られて、帯２の一側端の外側に固定される（図１０参照）。また、帯２には、予めその表面中間部を取り巻くように帯締１８が配置されて、固定される。図示してないが、更に必要に応じ、帯結び３に帯上げ１７が取り付けられる。
【００２４】
この実施形態の構成の着物を人形に着せるに当たっては、帯２を外して前身頃４を開き、第２の係止手段であるホック１９、２０を外した後、台紙２１を取り除く（図１０、１１参照）。そして、第１の実施形態の場合と同様に、更に前身頃４を開いて人形を配置し、各腕をそれぞれ袖６に通し、左前にして整える。その際、ホック１９、２０を嵌めると、着付け状態が安定し、その後の着付け操作が容易となる。また、着付け後における着崩れが抑止される。
【００２５】
次いで、胴をくるむように帯２を回して締め付け、面ファスナー１５ａ、１６ａ同士を係着させて、その締め付け状態を保持する。この実施形態の場合は、帯結び３及び帯締１８が帯２に一体化されているので、帯２の締め付けに伴って着付け完了となる。なお、第１の実施形態の場合と同様に帯結び３に帯上げ１７を取り付けるときには、同様に帯上げ１７を前に回して軽く結び、その端部を帯２の上側の隙間に押し込む。別の着物に着替えさせるときは、上記と逆にして着物を脱がせ、再び上記操作により着付ける。
【符号の説明】
【００２６】
１      着物本体
２      帯
３      帯結び
４      前身頃
５      後ろ身頃
６      袖    
７      襟
８      半襟
９      裾回し
１０      肩上げ
１１      腰上げ
１２      衽
１３      腰紐
１３ａ    腰紐
１４      身八つ口
１５      係止手段（カギフック）
１５ａ    係止手段（面ファスナー）
１６      係止手段（ループ）
１６ａ    係止手段（面ファスナー）
１７      帯上げ
１８      帯締
１９      係止手段（ホック）
２０      係止手段（ホック）
２１      保形台紙
【図１】
2012217613.tif 000003
【図２】
2012217613.tif 000004
【図３】
2012217613.tif 000005
【図４】
2012217613.tif 000006
【図５】
2012217613.tif 000007
【図６】
2012217613.tif 000008
【図７】
2012217613.tif 000009
【図８】
2012217613.tif 000010
【図９】
2012217613.tif 000011
【図１０】
2012217613.tif 000012
【図１１】
2012217613.tif 000013